(57)【要約】      （修正有）【課題】光源の事前選別を不要とし、且つ、より簡素な構成で色度の補正を可能とする色度補正装置を提供することにある。【解決手段】色度補正装置において、制御部は、色度座標空間上の任意の２つの色度間の距離を色度距離と定義し、第１色度Ｐ１から線上の目標色度Ｐｃまでの第１色度距離ｍａと、第２色度Ｐ２から混色の色度Ｐｍまでの第２色度距離ｎａとの比ｎａ／ｍａが、第１色度Ｐ１から線上の目標色度Ｐｃまでの第１目標色度距離ｍと、第２色度Ｐ２から線上の目標色度Ｐｃまでの第２目標色度距離ｎとの比ｎ／ｍとなるように、一方の色度距離ｍａを調整するための補正係数ｎ／ｍ×ｍａ／ｎａを算出して、一方の光源への駆動電流を補正係数ｎ／ｍ×ｍａ／ｎａに基づいて変更して、混色の色度Ｐｍを目標色の色度Ｐｓに近づけるように補正する。【選択図】図３
2015114547.tif 000002
【特許請求の範囲】
【請求項１】
第１の色を発光する第１光源（２１）、および第２の色を発光する第２光源（２２）を有する光源部（２０）において、前記第１、第２光源（２１、２２）が同時に点灯されたときの混色の色度（Ｐｍ）を、予め定めた所定の光度比となるように設定した目標色の色度（Ｐｓ）に近づけるように補正する色度補正装置であって、
前記第１、第２光源（２１、２２）の少なくとも一方が点灯されたときの色度座標空間上の色度（Ｐ１、Ｐ２）を検出する色度検出部（１１０）と、
前記色度検出部（１１０）によって得られた色度（Ｐ１、Ｐ２）に基づいて、前記第１、第２光源（２１、２２）に供給する駆動電流を調整する制御部（１２０）とを備え、
前記制御部（１２０）は、
前記色度検出部（１１０）によって検出された前記第１光源（２１）単体の第１色度（Ｐ１）、前記第２光源（２２）単体の第２色度（Ｐ２）、および前記混色の色度（Ｐｍ）を取得し、
前記第１色度（Ｐ１）、前記混色の色度（Ｐｍ）、および前記第２色度（Ｐ２）を通る直線（Ｌ１）上において、前記目標色の色度（Ｐｓ）の位置から、前記直線（Ｌ１）上で最も近い位置を、線上の目標色度（Ｐｃ）として算出し、
前記色度座標空間上の任意の２つの色度間の距離を色度距離と定義したときに、
前記第１色度（Ｐ１）から前記混色の色度（Ｐｍ）までの第１色度距離（ｍａ）と、前記第２色度（Ｐ２）から前記混色の色度（Ｐｍ）までの第２色度距離（ｎａ）との比（ｎａ／ｍａ）が、
前記第１色度（Ｐ１）から前記線上の目標色度（Ｐｃ）までの第１目標色度距離（ｍ）と、前記第２色度（Ｐ２）から前記線上の目標色度（Ｐｃ）までの第２目標色度距離（ｎ）との比（ｎ／ｍ）となるように、
前記第１色度距離（ｍａ）と前記第２色度距離（ｎａ）のうち、一方の色度距離（ｍａ）を調整するための補正係数（ｎ／ｍ×ｍａ／ｎａ）を算出して、前記一方の色度距離（ｍａ）に対応する光源（２１）への前記駆動電流を前記補正係数（ｎ／ｍ×ｍａ／ｎａ）に基づいて変更して、前記混色の色度（Ｐｍ）を前記目標色の色度（Ｐｓ）に近づけるように補正することを特徴とする色度補正装置。
【請求項２】
前記制御部（１２０）は、前記第１色度距離（ｍａ）と前記第２色度距離（ｎａ）のうち、短い方の色度距離を調整することを特徴とする請求項１に記載の色度補正装置。
【請求項３】
第１の色を発光する第１光源（２０１）、第２の色を発光する第２光源（２０２）、および第３の色を発光する第３光源（２０３）を有する光源部（２０）において、前記第１〜第３光源（２０１、２０２、２０３）が同時に点灯されたときの混色の色度（Ｐｍ２）を、予め定めた所定の光度比となるように設定した目標色の色度（Ｐｗ）に近づけるように補正する色度補正装置であって、
前記第１光源（２０１）、前記第２光源（２０２）、および前記第３光源（２０３）の少なくとも１つが点灯されたときの色度座標空間上の色度を検出する色度検出部（１１０）と、
前記色度検出部（１１０）によって得られた色度（Ｐ１、Ｐ２、Ｐ３）に基づいて、前記第１〜第３光源（２０１、２０２、２０３）に供給する駆動電流を調整する制御部（１２０）とを備え、
前記制御部（１２０）は、
前記色度検出部（１１０）によって検出された前記第１光源（２０１）単体の第１色度（Ｐ１）、前記第２光源（２０２）単体の第２色度（Ｐ２）、および前記第３光源（２０３）単体の第３色度（Ｐ３）を取得し、
前記第１色度（Ｐ１）および前記第２色度（Ｐ２）を通る第１直線（Ｌ１）と、前記第３色度（Ｐ３）および前記目標色の色度（Ｐｗ）を通る第２直線（Ｌ２）との交点を第１線上の目標色度（Ｐｖ）として算出し、
前記色度座標空間上の任意の２つの色度間の距離を色度距離と定義したときに、
前記第１光源（２０１）と前記第２光源（２０２）とを点灯させたときに、前記色度検出部（１１０）によって検出される前記第１直線（Ｌ１）上の第１混色の色度（Ｐｍ１）に基づいて、前記第１色度（Ｐ１）から前記第１混色の色度（Ｐｍ１）までの第１色度距離（ｍ１ａ）と、前記第２色度（Ｐ２）から前記第１混色の色度（Ｐｍ１）までの第２色度距離（ｎ１ａ）との比（ｎ１ａ／ｍ１ａ）が、
前記第１色度（Ｐ１）から前記第１直線上の目標色度（Ｐｖ）までの第１目標色度距離（ｍ１）と、前記第２色度（Ｐ２）から前記第１直線上の目標色度（Ｐｖ）までの第２目標色度距離（ｎ１）との比（ｎ１／ｍ１）となるように、
前記第１色度距離（ｍ１ａ）と前記第２色度距離（ｎ１ａ）のうち、一方の色度距離（ｍ１ａ）を調整するための第１補正係数（ｎ１／ｍ１×ｍ１ａ／ｎ１ａ）を算出して、前記一方の色度距離（ｍ１ａ）に対応する光源（２０１）への前記駆動電流を前記第１補正係数（ｎ１／ｍ１×ｍ１ａ／ｎ１ａ）に基づいて変更する第１ステップと、
前記第３光源（２０３）と、前記駆動電流を変更した状態における前記第１光源（２０１）および前記第２光源（２０２）とを点灯させたときに、前記色度検出部（１１０）によって検出される前記第２直線（Ｌ２）上の第２混色の色度（Ｐｍ２）に基づいて、前記第３色度（Ｐ３）から前記第２混色の色度（Ｐｍ２）までの第３色度距離（ｍ２ａ）と、前記第１直線上の目標色度（Ｐｖ）から前記第２混色の色度（Ｐｍ２）までの第４色度距離（ｎ２ａ）との比（ｎ２ａ／ｍ２ａ）が、
前記第３色度（Ｐ３）から前記目標色の色度（Ｐｗ）までの第３目標色度距離（ｍ２）と、前記第１線上の目標色度（Ｐｖ）から前記目標色の色度（Ｐｗ）までの第４目標色度距離（ｎ２）との比（ｎ２／ｍ２）となるように、
前記第３色度距離（ｍ２ａ）と前記第４色度距離（ｎ２ａ）のうち、一方の色度距離（ｍ２ａ）を調整するための第２補正係数（ｎ２／ｍ２×ｍ２ａ／ｎ２ａ）を算出して、前記一方の色度距離（ｍ２ａ）に対応する光源（Ｐ３）への前記駆動電流を前記第２補正係数（ｎ２／ｍ２×ｍ２ａ／ｎ２ａ）に基づいて変更する第２ステップとを実行して、
前記第１混色の色度（Ｐｍ１）を前記第１線上の目標色度（Ｐｖ）に近づけるように補正すると共に、前記第２混色の色度（Ｐｍ２）を前記目標色の色度（Ｐｗ）に近づけるように補正することを特徴とする色度補正装置。
【請求項４】
前記制御部（１２０）は、
前記第１色度距離（ｍ１ａ）と前記第２色度距離（ｎ１ａ）のうち、短い方の色度距離を調整すると共に、
前記第３色度距離（ｍ２ａ）と前記第４色度距離（ｎ２ａ）のうち、短い方の色度距離を調整することを特徴とする請求項３に記載の色度補正装置。
【発明の詳細な説明】
【技術分野】
【０００１】
本発明は、例えば、表示装置等に使用される光源の色度を補正するための色度補正装置に関するものである。
【背景技術】
【０００２】
従来の色度補正装置として、例えば、特許文献１に記載されたものが知られている。特許文献１の色度補正装置（ＬＥＤ光源装置）は、例えば、白色点灯する照明装置に適用されており、複数色（赤、緑、青）のＬＥＤが複数組設けられた発光部と、色度補正データを格納する色度補正データ格納部と、発光部の発光状態を制御する点灯部とを備えている。
【０００３】
発光部に使用される複数のＬＥＤは、光度ランク（光度のばらつき）が、所定ランク（光度ランクＦ）となるものが予め選別されて採用されている。色度補正データは、別装置である色度補正データ生成装置によって、事前に製造工程にて測定、生成された設定データであり、予め色度補正データ格納部に格納されるようになっている。色度補正データは、上記のように予め選別された複数のＬＥＤにおいて、実際に得られる色度に対して目標とする色度を得るために必要とされる各ＬＥＤの色度の割合を決定したものとなっている。
【０００４】
点灯部は、色度補正データ格納部から出力される色度補正データに、予め定められた複数のＬＥＤの階調データ（例えば８ビットデータ＝２５６）を乗算して、補正階調データを算出して、この補正階調データに基づいて発光部を点灯させるようにしている。
【先行技術文献】
【特許文献】
【０００５】
【特許文献１】特開２０１２−２２７４５８号公報
【発明の概要】
【発明が解決しようとする課題】
【０００６】
しかしながら、上記特許文献１の色度補正装置は、各ＬＥＤの光度ランクを予め所定ランクとなるように選別しているので、製造工数の増加を招いてしまう。また、選別された各ＬＥＤを用いた場合の色度補正データを事前に把握して、色度補正データ格納部に格納しており、事前のデータ収集工数、および専用の格納部の設定が必要となっている。
【０００７】
本発明の目的は、上記問題に鑑み、光源の事前選別を不要とし、且つ、より簡素な構成で色度の補正を可能とする色度補正装置を提供することにある。
【課題を解決するための手段】
【０００８】
本発明は上記目的を達成するために、以下の技術的手段を採用する。
【０００９】
第１の発明では、第１の色を発光する第１光源（２１）、および第２の色を発光する第２光源（２２）を有する光源部（２０）において、第１、第２光源（２１、２２）が同時に点灯されたときの混色の色度（Ｐｍ）を、予め定めた所定の光度比となるように設定した目標色の色度（Ｐｓ）に近づけるように補正する色度補正装置であって、
第１、第２光源（２１、２２）の少なくとも一方が点灯されたときの色度座標空間上の色度（Ｐ１、Ｐ２）を検出する色度検出部（１１０）と、
色度検出部（１１０）によって得られた色度（Ｐ１、Ｐ２）に基づいて、第１、第２光源（２１、２２）に供給する駆動電流を調整する制御部（１２０）とを備え、
制御部（１２０）は、
色度検出部（１１０）によって検出された第１光源（２１）単体の第１色度（Ｐ１）、第２光源（２２）単体の第２色度（Ｐ２）、および混色の色度（Ｐｍ）を取得し、
第１色度（Ｐ１）、混色の色度（Ｐｍ）、および第２色度（Ｐ２）を通る直線（Ｌ１）上において、目標色の色度（Ｐｓ）の位置から、直線（Ｌ１）上で最も近い位置を、線上の目標色度（Ｐｃ）として算出し、
色度座標空間上の任意の２つの色度間の距離を色度距離と定義したときに、
第１色度（Ｐ１）から混色の色度（Ｐｍ）までの第１色度距離（ｍａ）と、第２色度（Ｐ２）から混色の色度（Ｐｍ）までの第２色度距離（ｎａ）との比（ｎａ／ｍａ）が、
第１色度（Ｐ１）から線上の目標色度（Ｐｃ）までの第１目標色度距離（ｍ）と、第２色度（Ｐ２）から線上の目標色度（Ｐｃ）までの第２目標色度距離（ｎ）との比（ｎ／ｍ）となるように、
第１色度距離（ｍａ）と第２色度距離（ｎａ）のうち、一方の色度距離（ｍａ）を調整するための補正係数（ｎ／ｍ×ｍａ／ｎａ）を算出して、一方の色度距離（ｍａ）に対応する光源（２１）への駆動電流を補正係数（ｎ／ｍ×ｍａ／ｎａ）に基づいて変更して、混色の色度（Ｐｍ）を目標色の色度（Ｐｓ）に近づけるように補正することを特徴としている。
【００１０】
この発明によれば、検出した第１色度（ｐ１）、第２色度（Ｐ２）、および混色の色度（Ｐｍ）を基に各色度距離（ｍ、ｎ、ｍａ、ｎａ）を算出し、更に、各色度距離（ｍ、ｎ、ｍａ、ｎａ）を基に、駆動電流に対する補正係数（ｎ／ｍ×ｍａ／ｎａ）を算出することで、色度補正を行うことができる。つまり、従来技術のように、各光源（２１、２２）の光度ランクを予め所定ランクに選別しておく必要がない。また、従来技術のように、選別された各光源を用いた場合の色度補正データを事前に把握して、色度補正データ格納部に格納しておく必要もなく、よって、専用の格納部の設定も不要とすることができる。
【００１１】
また、第２の発明では、第１の色を発光する第１光源（２０１）、第２の色を発光する第２光源（２０２）、および第３の色を発光する第３光源（２０３）を有する光源部（２０）において、第１〜第３光源（２０１、２０２、２０３）が同時に点灯されたときの混色の色度（Ｐｍ２）を、予め定めた所定の光度比となるように設定した目標色の色度（Ｐｗ）に近づけるように補正する色度補正装置であって、
第１光源（２０１）、第２光源（２０２）、および第３光源（２０３）の少なくとも１つが点灯されたときの色度座標空間上の色度を検出する色度検出部（１１０）と、
色度検出部（１１０）によって得られた色度（Ｐ１、Ｐ２、Ｐ３）に基づいて、第１〜第３光源（２０１、２０２、２０３）に供給する駆動電流を調整する制御部（１２０）とを備え、
制御部（１２０）は、
色度検出部（１１０）によって検出された第１光源（２０１）単体の第１色度（Ｐ１）、第２光源（２０２）単体の第２色度（Ｐ２）、および第３光源（２０３）単体の第３色度（Ｐ３）を取得し、
第１色度（Ｐ１）および第２色度（Ｐ２）を通る第１直線（Ｌ１）と、第３色度（Ｐ３）および目標色の色度（Ｐｗ）を通る第２直線（Ｌ２）との交点を第１線上の目標色度（Ｐｖ）として算出し、
色度座標空間上の任意の２つの色度間の距離を色度距離と定義したときに、
第１光源（２０１）と第２光源（２０２）とを点灯させたときに、色度検出部（１１０）によって検出される第１直線（Ｌ１）上の第１混色の色度（Ｐｍ１）に基づいて、第１色度（Ｐ１）から第１混色の色度（Ｐｍ１）までの第１色度距離（ｍ１ａ）と、第２色度（Ｐ２）から第１混色の色度（Ｐｍ１）までの第２色度距離（ｎ１ａ）との比（ｎ１ａ／ｍ１ａ）が、
第１色度（Ｐ１）から第１直線上の目標色度（Ｐｖ）までの第１目標色度距離（ｍ１）と、第２色度（Ｐ２）から第１直線上の目標色度（Ｐｖ）までの第２目標色度距離（ｎ１）との比（ｎ１／ｍ１）となるように、
第１色度距離（ｍ１ａ）と第２色度距離（ｎ１ａ）のうち、一方の色度距離（ｍ１ａ）を調整するための第１補正係数（ｎ１／ｍ１×ｍ１ａ／ｎ１ａ）を算出して、一方の色度距離（ｍ１ａ）に対応する光源（２０１）への駆動電流を第１補正係数（ｎ１／ｍ１×ｍ１ａ／ｎ１ａ）に基づいて変更する第１ステップと、
第３光源（２０３）と、駆動電流を変更した状態における第１光源（２０１）および第２光源（２０２）とを点灯させたときに、色度検出部（１１０）によって検出される第２直線（Ｌ２）上の第２混色の色度（Ｐｍ２）に基づいて、第３色度（Ｐ３）から第２混色の色度（Ｐｍ２）までの第３色度距離（ｍ２ａ）と、第１直線上の目標色度（Ｐｖ）から第２混色の色度（Ｐｍ２）までの第４色度距離（ｎ２ａ）との比（ｎ２ａ／ｍ２ａ）が、
第３色度（Ｐ３）から目標色の色度（Ｐｗ）までの第３目標色度距離（ｍ２）と、第１線上の目標色度（Ｐｖ）から目標色の色度（Ｐｗ）までの第４目標色度距離（ｎ２）との比（ｎ２／ｍ２）となるように、
第３色度距離（ｍ２ａ）と第４色度距離（ｎ２ａ）のうち、一方の色度距離（ｍ２ａ）を調整するための第２補正係数（ｎ２／ｍ２×ｍ２ａ／ｎ２ａ）を算出して、一方の色度距離（ｍ２ａ）に対応する光源（Ｐ３）への駆動電流を第２補正係数（ｎ２／ｍ２×ｍ２ａ／ｎ２ａ）に基づいて変更する第２ステップとを実行して、
第１混色の色度（Ｐｍ１）を第１線上の目標色度（Ｐｖ）に近づけるように補正すると共に、第２混色の色度（Ｐｍ２）を目標色の色度（Ｐｗ）に近づけるように補正することを特徴としている。
【００１２】
この発明によれば、検出した第１色度（ｐ１）、第２色度（Ｐ２）、第３色度（Ｐ３）、第１混色の色度（Ｐｍ１）、および第２混色の色度（Ｐｍ２）を基に各色度距離（ｍ１、ｎ１、ｍ２、ｎ２、ｍ１ａ、ｎ１ａ、ｍ２ａ、ｎ２ａ）を算出し、更に、各色度距離を基に駆動電流に対する電流補正値を算出することで、色度補正を行うことができる。つまり、従来技術のように、各光源（２０１、２０２、２０３）の光度ランクを予め所定ランクに選別しておく必要がない。また、従来技術のように、選別された各光源を用いた場合の色度補正データを事前に把握して、色度補正データ格納部に格納しておく必要もなく、よって、専用の格納部の設定も不要とすることができる。
【００１３】
尚、上記各手段の括弧内の符号は、後述する実施形態記載の具体的手段との対応関係を示すものである。
【図面の簡単な説明】
【００１４】
【図１】メータ装置の外観を示す正面図である。
【図２】メータ装置、および色度補正装置の構成を示すブロック図である。
【図３】第１実施形態における各光源の色度、混色の色度、目標色の色度、および目標色度を示す色度図である。
【図４】第１実施形態における色度補正部が行う制御内容を示すフローチャート１である。
【図５】第１実施形態における色度補正部が行う制御内容を示すフローチャート２である。
【図６】第１実施形態における色度距離を説明するための説明図である。
【図７】第２実施形態における色度補正部が行う制御内容を示すフローチャート１である。
【図８】第２実施形態における色度補正部が行う制御内容を示すフローチャート２（ステップ１）である。
【図９】第２実施形態における色度補正部が行う制御内容を示すフローチャート３（ステップ２）である。
【図１０】第２実施形態における各光源の色度、混色の色度、目標色の色度、および目標色度を示す色度図である。
【図１１】第２実施形態のステップ１における色度距離を説明するための説明図である。
【図１２】第２実施形態のステップ２における色度距離を説明するための説明図である。
【発明を実施するための形態】
【００１５】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１６】
（第１実施形態）
第１実施形態の色度補正装置１００について、図１〜図６に基づいて説明する。色度補正装置１００は、検査対象となる製品の光源部２０における複数の光源が同時に点灯されたときの混色の色度を、各光源同士の光度比が予め定めた光度比（設計光度比）における目標色の色度に近づくように補正する装置である。ここでは、検査対象となる製品として、例えば、車両用のメータ装置１０としている。色度補正装置１００は、メータ装置１０に設けられた文字板照明部２３（あるいは表示器２４）等を照明する光源２１、２２（あるいは光源２０１、２０２、２０３）による混色の色度を補正するようにしている。
【００１７】
まず、メータ装置１０について簡単に説明する。メータ装置１０は、車両の走行時における各種車両情報を乗員に対して総合的に表示する装置である。メータ装置１０の外観は、乗員側から見て、図１に示すようになっており、例えば、文字板に文字板照明部２３、表示器２４、速度計２５、回転計２６、燃料残量計２７、および水温計２８等が設けられている。
【００１８】
文字板照明部２３は、透光性の板状を成しており、例えば、発光色の異なる複数の光源２１、２２によって得られる混色（中間色）が透過されることによって照明される部位となっている。表示器２４は、例えば、薄膜トランジスタ（ＴＦＴ）を用いた液晶式ディスプレイであり、車両の各種情報（走行距離、燃費、航続距離、外気温度等）を表示するようになっている。速度計２５は、車両の走行速度を表示する指針式の計器である。回転計２６は、エンジンの回転数を表示する指針式の計器である。燃料残量計２７は、燃料タンク内の燃料の残量を表示する指針式の計器である。また、水温計２８は、エンジンの冷却水の温度を表示する指針式の計器である。
【００１９】
そして、メータ装置１０の内部には、図２に示すように、インターフェイス１１、電源回路１２、システム制御回路１３、点灯制御部１４、表示制御部１５、記憶保持部１６、警告灯駆動部１７、ステッパモータ１８、電流設定部１９、および光源部２０等が設けられている。
【００２０】
インターフェイス１１は、実車装着時における各種車両機器とシステム制御回路１３とを繋ぐ、あるいは、実車装着前の色度補正時における色度補正装置１００とシステム制御回路１３とを繋ぐ接続手段である。インターフェイス１１は、実車装着時においては、各種車両機器からの製品制御信号等を受け入れるようになっている。また、インターフェイス１１は、色度補正時においては、色度補正装置１００から出力される色度補正モード信号等を受け入れるようになっている。
【００２１】
電源回路１２は、実車装着時において車両バッテリからメータ装置１０の内部回路に電源供給する、あるいは色度補正時において色度補正装置１００の電源１５０からメータ装置１０の内部回路に電源供給する回路である。
【００２２】
システム制御回路１３は、インターフェイス１１から出力される出力信号に基づいて、実車装置時における製品機能の制御（製品動作モード）と、色度補正時における色度補正の制御（色度補正モード）とを切替え可能として総合的に実行する制御回路となっている。システム制御回路１３は、例えば、点灯制御部１４、表示制御部１５、記憶保持部１６、警告灯駆動部１７、ステッパモータ１８、および電流設定部１９等に対して制御用の指示を与える（制御信号を出力する）ようになっている。
【００２３】
点灯制御部１４は、トランジスタによるスイッチ回路から形成された制御部であり、光源部２０における各光源２１、２２、２０１、２０２、２０３の作動（点灯、消灯）を制御するようになっている。
【００２４】
表示制御部１５は、各種車両機器からの製品制御信号等に基づいて、表示器２４の表示状態（表示内容）を制御する制御部となっている。
【００２５】
記憶保持部１６は、後述する色度補正のための電流補正値を記憶保持する保持部であり、実車装着時における各光源２１、２２、２０１、２０２、２０３に対する駆動電流の設定に反映するようになっている。記憶保持部１６は、例えば、ＥＥＰＲＯＭ等が採用されている。
【００２６】
警告灯駆動部１７は、各種車両機器からの製品制御信号に基づいて、乗員に対する注意、警告等を示すための警告灯１７ａの点灯、消灯の制御を行う駆動部となっている。
【００２７】
ステッパモータ１８は、各種車両機器からの製品制御信号に基づいて、速度計２５、回転計２６、燃料残量計２７、および水温計２８の各指針を回動させるモータである。
【００２８】
電流設定部１９は、色度補正装置１００の色度補正部１２０、およびシステム制御回路１３からの指示（電流補正値による補正指示）に基づき、光源部２０における各光源２１、２２、２０１、２０２、２０３に供給する駆動電流を設定する定電流回路である。
【００２９】
光源部２０は、文字板照明部２３、および表示器２４を照明するための複数の光源２１、２２、２０１、２０２、２０３を備えている。各光源２１、２２、２０１、２０２、２０３は、例えば、発光ダイオード（ＬＥＤ）が使用されている。各光源２１、２２、２０１、２０２、２０３は、点灯制御部１４によって、点灯、消灯状態が制御される。更に、電流設定部１９によって設定される駆動電流に応じて、光度（明るさ）が調整されるようになっている。
【００３０】
光源２１、２２は、乗員とは反対側から発光して文字板照明部２３を照明するための光源となっている。光源２１は、第１の色として青色に発光する光源となっている。また、光源２２は、第２の色として赤色に発光する光源となっている。文字板照明部２３は、光源２１と光源２２とが同時に点灯されることで得られる混色（青紫色）によって照明されるようになっている。尚、本第１実施形態では上記光源２１、２２を用いた場合の色度補正について説明する。光源２１は、本発明の第１光源に対応し、光源２２は、本発明の第２光源に対応する。
【００３１】
また、光源２０１、２０２、２０３は、表示器２４のバックライトとして使用される光源となっている。光源２０１は、第１の色として青色に発光する光源となっている。また、光源２０２は、第２の色として赤色に発光する光源となっている。更に、光源２０３は、第３の色として緑色に発光する光源となっている。表示器２４は、光源２０１、２０２、２３０が同時に点灯されることで得られる混色（白色）によって照明されるようになっている。尚、光源２０１、２０２、２０３を用いた場合の色度補正については、以下の第２実施形態にて説明することとする。
【００３２】
次に、色度補正装置１００について同様に図２を用いて説明する。色度補正装置１００は、色度検出部１１０、色度補正部１２０、モニタ１３０、インターフェイス１４０、および電源１５０等を備えている。
【００３３】
色度検出部１１０は、各光源２１、２２（２０１、２０２、２０３）の少なくとも１つが点灯したときのそれぞれの色度を検出する検出部である。つまり、色度検出部１１０は、光源２１、２２（２０１、２０２、２０３）の単体での点灯時の色度、および複数の光源２１、２２（２０１、２０２、２０３）の同時点灯時の色度を検出可能となっている。色度検出部１１０としては、例えば、カラーカメラ、あるいは色度計が使用される。色度検出部１１０によって検出される色度は、図３に示す色度図上におけるｘ座標位置およびｙ座標位置として検出されるものである。色度検出部１１０は、検出した色度データを色度補正部１２０に出力するようになっている。
【００３４】
ここで、色度図というのは、国際照明委員会にて設定されたもので、光の色をｘ、ｙの平面（２次元）座標で表すようにした図である。色度図においては、色のスペクトル軌跡によって座標中の左上側に向けて凸となる曲線部分が示されており、この曲線上には、波長に応じた各種単色（青〜赤までの各種単色）が位置するようになっている。曲線部分の左下側は青色に対応し、曲線部分の凸部は緑色に対応し、曲線部分の右下側は赤色に対応している。そして、曲線部分の内側の領域は、各単色が混合された色に対応するようになっている。例えば、青色と赤色との中間領域は青紫となっている。また、曲線部分の内側の中央領域は、青、緑、赤が混合された白色となっている。
【００３５】
色度検出部１１０としてカラーカメラを用いた場合は、比較的広い範囲での色度検出が可能であるが、色度計を用いた場合であると、比較的狭い範囲での色度検出となる。よって、色度補正装置１００に、色度検出部１１０を保持する保持部１１１と、保持部１１１を移動させる移動部１１２を設けるようにしても良い。移動部１１２は、色度補正部１２０によって作動制御される。この保持部１１１と移動部１１２とによって、色度検出したい所定範囲の中で、色度検出部１１０を移動させながら、移動ポイントごとに色度を検出していくことが可能となる。
【００３６】
色度補正部１２０は、色度検出部１１０から得られた色度データに基づいて、各光源２１、２２（２０１、２０２、２０３）が同時点灯されたときの混色の色度が、目標色の色度に近づくように電流補正値を算出する。更に、色度補正部１２０は、メータ装置１０のシステム制御回路１３、電流設定部１９に対して各光源２１、２２（２０１、２０２、２０３）に供給する駆動電流を変更するようになっている。色度補正部１２０の詳細作動については、後述する。
【００３７】
モニタ１３０は、色度補正時の補正結果、あるいは補正がうまくできなかった場合の補正異常等を表示する表示部であり、色度補正部１２０によって作動制御されるようになっている。
【００３８】
インターフェイス１４０は、色度補正装置１００とメータ装置１０（インターフェイス１１）とを繋ぐ接続手段である。インターフェイス１４０は、色度補正部１２０からの色度補正モード信号、および電流補正値等をメータ装置１０に出力する。
【００３９】
電源１５０は、例えば、定格１３．５Ｖの直流電源であり、色度補正時に色度補正部１２０の指示により、各光源２１、２２（２０１、２０２、２０３）に供給する電圧の出力（設定）を、制御するようになっている。
【００４０】
メータ装置１０、および色度補正装置１００の構成は以上のようになっている。以下、図４〜図６を加えて、色度補正装置１００が行う色度補正の制御内容について説明する。本第１実施形態では、文字板照明部２３を照明する２つの光源２１、２２による混色の色度補正について説明する。尚、文字板照明部２３に対する色度検出のための測定位置は、複数個所について行うものとしている。
【００４１】
まず、メータ装置１０と色度補正装置１００とが、インターフェイス１１および１４０間で接続されると、図４、図５のフローチャートのステップＳ１００で、色度補正部１２０は、電源１５０からメータ装置１０に対して１３．５Ｖの電源供給を開始する。
【００４２】
そして、上記電源供給に伴い、色度補正部１２０は、システム制御回路１３に色度補正モード信号を送信するようにしている。ステップＳ１１０で、所定時間内に色度補正モード信号が送信された場合であると、メータ装置１０は色度補正モードとなる。この場合、色度補正部１２０は、以下のステップＳ１４０に進む。しかしながら、ステップＳ１１０で、所定時間内に色度補正モード信号が送信されていない場合であれば、色度補正モードは解除状態とされて、ステップＳ１２０で、メータ装置１０は製品動作モードとなる。そして、ステップＳ１３０で、色度補正は終了となる。
【００４３】
ステップＳ１４０では、色度補正部１２０は、移動部１１２によって、色度検出部１１０を、複数の色度測定位置のうちの１つめの位置に移動させる。
【００４４】
次に、ステップＳ１５０で、色度補正部１２０は、メータ装置１０に対して、初期設定の駆動電流にて光源２１を単体状態で点灯するように要求する。光源２１における初期設定の駆動電流とは、光源２１および光源２２における光度比を予め定めた光度比にしたときに得られる混色の色度が、狙いとする目標色の色度Ｐｓ（Ｘｓ、Ｙｓ）となるように、光源２１に対して設定された駆動電流である。目標色の色度Ｐｓは、図３の色度図上において、ポイントＰｓとして表示されている。
【００４５】
次に、ステップＳ１６０で、色度補正部１２０は、色度検出部１１０に対して、光源２１の単体状態での点灯時の色度Ｐ１を計測させる。色度検出部１１０は、光源２１の単体状態の色度Ｐ１を色度図上の座標（Ｘ１、Ｙ１）として計測して、計測したデータを色度補正部１２０に出力する。光源２１の単体状態の色度Ｐ１は、本発明の第１色度に対応する。以下、光源２１の単体状態の色度Ｐ１を、第１色度Ｐ１と呼ぶことにする。第１色度Ｐ１は、図３の色度図上において、ポイントＰ１として表示される。
【００４６】
次に、ステップＳ１７０で、色度補正部１２０は、メータ装置１０に対して、初期設定の駆動電流にて光源２２を単体状態で点灯するように要求する。光源２２における初期設定の駆動電流とは、上記の光源２１の場合と同様に、光源２１および光源２２における光度比を予め定めた光度比にしたときに得られる混色の色度が、狙いとする目標色の色度Ｐｓ（Ｘｓ、Ｙｓ）となるように、光源２２に対して設定された駆動電流である。
【００４７】
次に、ステップＳ１８０で、色度補正部１２０は、色度検出部１１０に対して、光源２２の単体状態での点灯時の色度Ｐ２を計測させる。色度検出部１１０は、光源２２の単体状態の色度Ｐ２を色度図上の座標（Ｘ２、Ｙ２）として計測して、計測したデータを色度補正部１２０に出力する。光源２２の単体状態の色度Ｐ２は、本発明の第２色度に対応する。以下、光源２２の単体状態の色度Ｐ２を、第２色度Ｐ２と呼ぶことにする。第２色度Ｐ２は、図３の色度図上において、ポイントＰ２として表示される。
【００４８】
次に、ステップＳ１９０で、色度補正部１２０は、メータ装置１０に対して、それぞれの初期設定の駆動電流にて光源２１、２２を同時に点灯するように要求する。
【００４９】
次に、ステップＳ２００で、色度補正部１２０は、色度検出部１１０に対して、光源２１、２２の同時点灯による色度Ｐｍを計測させる。色度検出部１１０は、光源２１、２２の同時点灯による色度Ｐｍを色度図上の座標（Ｘｍ、Ｙｍ）として計測して、計測したデータを色度補正部１２０に出力する。光源２１、２２の同時点灯による色度Ｐｍは、本発明の混色の色度に対応する。以下、光源２１、２２の同時点灯による色度Ｐｍを、混色の色度Ｐｍと呼ぶことにする。混色の色度Ｐｍは、第１色度Ｐ１（光源２１）と第２色度Ｐ２（光源２２）とによって得られるものであり、図３の色度図上において、第１色度Ｐ１と第２色度Ｐ２とを通る直線Ｌ１上で、第１色度Ｐ１と第２色度Ｐ２との中間部に位置するポイントＰｍとして表示される。
【００５０】
次に、ステップＳ２１０で、色度補正部１２０は、混色の色度Ｐｍと目標色の色度Ｐｓとの差ΔＰｍを求める。差ΔＰｍは、実際に得られた混色の色度Ｐｍが、目標色の色度Ｐｓに近いものとして得られたか否かを判定するための判定量となる。差ΔＰｍは、各色度Ｐｍ、Ｐｓの座標位置の差から得ることができる。差ΔＰｍは、（Ｘｍ−Ｘｓ、Ｙｍ−Ｙｓ）として算出することができる。
【００５１】
次に、ステップＳ２２０で、色度補正部１２０は、差ΔＰｍの絶対値が、予め定めた所定規格値Ｒ２ａより小さいか否かを判定する。色度補正部１２０は、ステップＳ２２０で、差ΔＰｍが所定規格値Ｒ２ａ以下であると判定すると、混色の色度Ｐｍは、目標色の色度Ｐｓに充分近いものとして判定する。よって、色度補正部１２０は、光源２１、２２に対する初期設定の駆動電流の補正を行うことなしに、ステップＳ２３０で、駆動電流に対する補正値α１を１と設定する。
【００５２】
そして、ステップＳ２４０で、色度補正部１２０は、記憶保持部１６に補正値α１（＝１）を保存させる。そして、色度補正部１２０は、色度補正モードを解除する。これにより、メータ装置１０は製品動作モードとなる（ステップＳ１２０）。
【００５３】
一方、ステップＳ２２０で、色度補正部１２０は、差ΔＰｍが所定規格値Ｒ２ａより大きいと判定すると、混色の色度Ｐｍは、目標色の色度Ｐｓに近いものになっていないと判定し、ステップＳ２５０に進む。
【００５４】
ステップＳ２５０では、色度補正部１２０は、直線Ｌ１上における線上の目標色度Ｐｃを算出する。本来、目標色の色度Ｐｓは、直線Ｌ１上に乗るべきものであるが、実際には、光源２１、２２の光度狙い値に対するバラツキ等が発生することから、直線Ｌ１上に乗らない場合が発生し得る。よって、色度補正部１２０は、直線Ｌ１上での色度補正が可能となるように、色度図において、第１色度Ｐ１、混色の色度Ｐｍ、およびと第２色度Ｐ２を通る直線Ｌ１上において、目標色の色度Ｐｓの位置から直線Ｌ１上で最も近い位置を線上の目標色度Ｐｃとして算出する。線上の目標色度Ｐｃは、実質的には目標色の色度Ｐｓに近いものである。
【００５５】
具体的には、色度図において、目標色の色度Ｐｓの座標位置から直線Ｌ１に垂線を下ろし、直線Ｌ１と垂線との交点を線上の目標色度Ｐｃ（Ｘｃ、Ｙｃ）として算出する。実際には、色度補正部１２０は、第１色度Ｐ１、第２色度Ｐ２、および目標色の色度Ｐｓの座標情報から得られる関数ｆ１（Ｐ１、Ｐ２、Ｐｓ）を用いて線上の目標色度Ｐｃを算出するようにしている。
【００５６】
次に、ステップＳ２６０で、色度補正部１２０は、以下のステップＳ４００で実施する補正回数カウントのために、まず、補正カウンタをクリアする。即ち、ここでは、補正回数カウントＮ１をゼロに設定する。
【００５７】
そして、ステップＳ２７０で、色度補正部１２０は、混色の色度Ｐｍと線上の目標色度Ｐｃとの座標位置を比較する。即ち、直線Ｌ１上において、混色の色度Ｐｍが第１色度Ｐ１と線上の目標色度Ｐｃとの間にあるか、あるいは、混色の色度Ｐｍが線上の目標色度Ｐｃと第２色度Ｐ２との間にあるかを判定する。混色の色度Ｐｍが第１色度Ｐ１と線上の目標色度Ｐｃとの間にある場合は、第１色度Ｐ１の光度が、第２色度Ｐ２の光度よりも高いことを意味する。逆に、混色の色度Ｐｍが線上の目標色度Ｐｃと第２色度Ｐ２との間にある場合は、第２色度Ｐ２の光度が、第１色度Ｐ１の光度よりも高いことを意味する。
【００５８】
上記ステップＳ２７０の判定に基づいて、色度補正部１２０は、ステップＳ２８０、Ｓ２９０にて、あるいは、ステップＳ３００、Ｓ３１０にて、光源２１、あるいは光源２２のうち、一方の光源の駆動電流の補正を行う。駆動電流の補正にあたっては、光源２１、あるいは光源２２のうち、光度の高い方の光源の初期の駆動電流を下げる方向で補正する。そして、この駆動電流の補正を実施するにあたって、本実施形態では、「色度距離」という概念を採用して、対応するようにしている。
【００５９】
ここで、色度距離、および駆動電流の補正要領について、図６を用いて説明する。まず、本実施形態では、色度距離とは、色度座標空間上の任意の２つの色度間における距離と定義している。
【００６０】
図６のグラフは、横軸に各色度（Ｐ１、Ｐ２、Ｐｍ、Ｐｃ）間の色度距離を示し、縦軸に第１色度Ｐ１と第２色度Ｐ２との光度比を示したものとなっている。横軸には、図３における直線Ｌ１上の各色度の位置関係を維持した形で、横軸左側に第１色度Ｐ１がプロットされ、また横軸右側に第２色度Ｐ２がプロットされる。また、横軸の第１色度Ｐ１と第２色度Ｐ２との間には、目標色の色度Ｐｓ、および線上の目標色度Ｐｍがプロットされる。
【００６１】
上記横軸上において、第１色度Ｐ１と目標色の色度Ｐｃとの間の距離が色度距離ｍとなり、第２色度Ｐ２と目標色の色度Ｐｃとの間の距離が色度距離ｎとなる。また、第１色度Ｐ１と混色の色度Ｐｍとの間の距離が色度距離ｍａ（あるいはｍｂ）となり、第２色度Ｐ２と混色の色度Ｐｍとの間の距離が色度距離ｎａ（あるいはｎｂ）となる。
【００６２】
色度距離ｍは本発明の第１目標色度距離に対応する。また、色度距離ｎは本発明の第２目標色度距離に対応する。また、色度距離ｍａ（あるいはｍｂ）は本発明の第１色度距離に対応する。また、色度距離ｎａ（あるいはｎｂ）は本発明の第２色度距離に対応する。
【００６３】
ここで、横軸上における第１色度Ｐ１における位置は、光源２１の単体状態での点灯時を意味しており、この位置に対する縦軸の光度比は、光源２１単体の光度を１と設定した値がプロットされる。また、第２色度Ｐ２における位置は、光源２２の単体状態での点灯時を意味しており、この位置に対する縦軸の光度比は、光源２２単体の光度を１と設定した値がプロットされる。そして、第１色度Ｐ１の光度比ゼロの点と、第２色度Ｐ２の光度比１の点とを繋ぐ直線が、光源２１と光源２２との光度比が変化された場合の、光度比を示す直線となる。
【００６４】
具体的には、例えば、横軸の目標色の色度Ｐｃの位置において、ＵＩｖ１が光源２１の光度であり、ＵＩｖ２が光源２２の光度である。両光度の関係は、ＵＩｖ１＋ＵＩｖ２＝１と規格化されており、ＵＩｖ１／ＵＩｖ２が光度比となる。
【００６５】
よって、上記で説明した図６より、２つの光源２１、２２の光度比を色度距離で表すことができる。即ち、目標色の色度Ｐｃにおける光度比ＵＩｖ１／ＵＩｖ２は、色度距離の比ｎ／ｍとして表すことができる。同様に、図６（ａ）において、混色の色度Ｐｍにおける光度比ＵＩｖ１ａ／ＵＩｖ２ａは、色度距離の比ｎａ／ｍａとして表すことができる。同様に、図６（ｂ）においては、混色の色度Ｐｍにおける光度比ＵＩｖ１ｂ／ＵＩｖ２ｂは、色度距離の比ｎｂ／ｍｂとして表すことができる。
【００６６】
上記の考え方を基にして、ステップＳ２７０にて、色度補正部１２０は、直線Ｌ１上において、混色の色度Ｐｍが第１色度Ｐ１と線上の目標色度Ｐｃとの間にあると判定すると、第１色度Ｐ１の光度が、第２色度Ｐ２の光度より高いことから、ステップＳ２８０に進む。ステップＳ２８０では、光源２１と光源２２のうち、光度の高い方の光源２１の光度を下げるための電流補正値αａを算出する。電流補正値αａは、１より小さい値とするものである。電流補正値αａは、本発明の補正係数に対応する。
【００６７】
具体的には、ステップＳ２８０では、図６（ａ）に示す色度距離の比ｎａ／ｍａを色度距離の比ｎ／ｍに近づけるようにする。
【００６８】
つまり、目標色の色度Ｐｓにおける光度比は、
（数１）
ＵＩｖ１：ＵＩｖ２＝ｎ：ｍ  であり、
混色の色度Ｐｍにおける光度比は、
（数２）
ＵＩｖ１ａ：ＵＩｖ２ａ＝ｎａ：ｍａ  となる。
【００６９】
よって、混色の色度Ｐｍの光度比におけるＵＩｖ１ａに対して、αａ（＜１）倍の補正をして、上記数式１を実現するためには、
（数３）
（αａ・ＵＩｖ１ａ）：ＵＩｖ２ａ＝ＵＩｖ１：ＵＩｖ２  とすることが必要となる。
【００７０】
上記数式３より、
（αａ・ＵＩｖ１ａ）・ＵＩｖ２＝ＵＩｖ１・ＵＩｖ２ａ  となり、
よって、
αａ＝（ＵＩｖ１／ＵＩｖ２）・（ＵＩｖ２ａ／ＵＩｖ１ａ）  となり、
これに、上記数式１、数式２を代入すると、
（数４）
αａ＝（ｎ／ｍ）・（ｍａ／ｎａ）  となる。つまり、電流補正値αａは、色度距離ｍ、ｎ、ｍａ、ｎａによって算出可能となる。
【００７１】
ステップＳ２８０の初回処理のときは、電流補正値αａ＝（ｎ／ｍ）・（ｍａ／ｎａ）として算出する。また、後述するステップＳ４１０の後の２回め以降の処理では、電流補正値αａ＝（先回のαａ）・（ｍａ／ｎａ）として算出する。
【００７２】
そして、ステップＳ２９０で、色度補正部１２０は、メータ装置１０のシステム制御回路１３に対して、光源２１に対する駆動電流値をαａ倍とする電流設定変更の要求を指示する。
【００７３】
一方、ステップＳ２７０にて、色度補正部１２０は、直線Ｌ１上において、混色の色度Ｐｍが線上の目標色度Ｐｃと第２色度Ｐ２との間にあると判定すると、第２色度Ｐ２の光度が、第１色度Ｐ１の光度より高いことから、ステップＳ３００に進む。ステップＳ３００では、光源２１と光源２２のうち、光度の高い方の光源２２の光度を下げるための電流補正値αｂを算出する。電流補正値αｂは、１より小さい値とするものである。電流補正値αｂは、本発明の補正係数に対応する。
【００７４】
具体的には、ステップＳ３００は、図６（ｂ）に示す色度距離の比ｎｂ／ｍｂを色度距離の比ｎ／ｍに近づけるようにする。
【００７５】
つまり、目標色の色度Ｐｓにおける光度比は、上記のとおり、
（数１）
ＵＩｖ１：ＵＩｖ２＝ｎ：ｍ  であり、
混色の色度Ｐｍにおける光度比は、
（数５）
ＵＩｖ１ｂ：ＵＩｖ２ｂ＝ｎｂ：ｍｂ  となる。
【００７６】
よって、混色の色度Ｐｍの光度比におけるＵＩｖ２ｂに対して、αｂ（＜１）倍の補正をして、上記（１）式を実現するためには、
（数６）
ＵＩｖ１ｂ：（αｂ・ＵＩｖ２ｂ）＝ＵＩｖ１：ＵＩｖ２  とすることが必要となる。
【００７７】
上記数式６より、
（αｂ・ＵＩｖ２ｂ）・ＵＩｖ１＝ＵＩｖ２・ＵＩｖ１ｂ  となり、
よって、
αｂ＝（ＵＩｖ２／ＵＩｖ１）・（ＵＩｖ１ｂ／ＵＩｖ２ｂ）  となり、
これに、上記数式１、数式５を代入すると、
（数７）
αａ＝（ｍ／ｎ）・（ｎｂ／ｍｂ）  となる。つまり、電流補正値αｂは、色度距離ｍ、ｎ、ｍｂ、ｎｂによって算出可能となる。
【００７８】
ステップＳ３００の初回処理のときは、電流補正値αｂ＝（ｍ／ｎ）・（ｎｂ／ｍｂ）として算出する。また、後述するステップＳ４１０の後の２回め以降の処理では、電流補正値αｂ＝（先回のαｂ）・（ｎｂ／ｍｂ）として算出する。
【００７９】
そして、ステップＳ３１０で、色度補正部１２０は、メータ装置１０のシステム制御回路１３に対して、光源２２に対する駆動電流値をαｂ倍とする電流設定変更の要求を指示する。
【００８０】
次に、ステップＳ３２０で、色度補正部１２０は、メータ装置１０に対して、補正した後の駆動電流にて光源２１、２２を同時に点灯するように要求する。
【００８１】
次に、ステップＳ３３０で、色度補正部１２０は、色度検出部１１０に対して、光源２１、２２の同時点灯による色度Ｐｍ（色度図上の座標（Ｘｍ、Ｙｍ））を計測させる。
【００８２】
次に、ステップＳ３４０で、色度補正部１２０は、混色の色度Ｐｍと線上の目標色度Ｐｃとの差ΔＰｍＬを求める。差ΔＰｍＬは、（Ｘｍ−Ｘｃ、Ｙｍ−Ｙｃ）として算出することができる。
【００８３】
次に、ステップＳ３５０で、色度補正部１２０は、差ΔＰｍＬの絶対値が、予め定めた所定規格値Ｒ２ｂより小さいか否かを判定する。所定規格値Ｒ２ｂは、上記ステップＳ２２０における所定規格値Ｒ２ａと同一値とすることができる。
【００８４】
色度補正部１２０は、ステップＳ３５０で、差ΔＰｍＬが所定規格値Ｒ２ｂ以下であると判定すると、混色の色度Ｐｍは、線上の目標色度Ｐｃ、即ち、目標色の色度Ｐｓに充分近いものとして判定する。よって、色度補正部１２０は、ステップＳ３６０で、システム制御回路１３に対して、光源２１、２２に対する電流補正値（αａあるいはαｂ）を記憶保持部１６に書込みするように指示する。
【００８５】
そして、ステップＳ３７０で、色度補正部１２０は、色度補正が正常に行われたものとして、１つめの色度補正点に対する色度補正を終了する。
【００８６】
そして、ステップＳ３８０で、色度補正部１２０は、残りの色度補正点が有るか、否かを判定し、残りの色度補正点がある場合は、ステップＳ１４０に進み、上記と同様の制御を行う。また、ステップＳ３８０で、色度補正部１２０は、否と判定すれば、全ての色度補正点の補正が終了したことになり、色度補正モードを解除して、ステップＳ３９０で、メータ装置１０を製品動作モードにする。
【００８７】
一方、色度補正部１２０は、ステップＳ３５０で、差ΔＰｍＬが所定規格値Ｒ２ｂよりも大きいと判定すると、混色の色度Ｐｍは、線上の目標色度Ｐｍに近いものになっていないと判定し、ステップＳ４００に進む。
【００８８】
ステップＳ４００では、色度補正部１２０は、補正回数カウントＮ１をＮ１＋１とし、ステップＳ４１０で、補正回数カウントＮ１が３回より大きいか否かを判定する。補正回数カウントＮ１が３回以下であると、まだ、色度補正の余地があると判定して、色度補正部１２０は、ステップＳ２７０に戻り、ステップＳ２７０〜ステップＳ４００を繰り返す。つまり、光源２１、２２に対する電流補正値の算出を行い、混色の色度Ｐｍの補正を繰り返す。
【００８９】
しかしながら、ステップＳ４１０で、補正回数カウントＮ１が３回を超えると、これ以上、色度補正の余地が無いと判定して、色度補正部１２０は、ステップＳ４２０で、色度補正を行わずに、異常終了とする。このとき、色度補正部１２０は、モニタ１３０に、色度補正の異常終了を表示させると共に、色度補正モードを解除する。
【００９０】
以上のように、本第１実施形態の色度補正装置１００では、２つの光源２１、２２の混色の色度Ｐｍを目標色の色度Ｐｓに近づけるように補正するにあたって、まず、色度検出部１１０によって、光源２１単体の第１色度Ｐ１、光源２２単体の第２色度Ｐ２、および光源２１、２２による混色の色度Ｐｍを検出する。
【００９１】
そして、目標色の色度Ｐｓから線上の目標色度Ｐｃを算出する。更に、色度座標空間上における色度距離という概念を新たに定義して、混色の色度Ｐｍが線上の目標色度Ｐｃに近づくように、各色度Ｐ１、Ｐ２、Ｐｍ、Ｐｃにかかる色度距離ｍ、ｎ、ｍａ（ｍｂ）、ｎａ（ｎｂ）を基に、光源２１、２２に供給する駆動電流の電流補正値αａ（数式４）、あるいは電流補正値αｂ（数式７）を算出する。
【００９２】
そして、得られた電流補正値に基づいて駆動電流を変更して、混色の色度Ｐｍを線上の目標色度Ｐｃに、即ち、目標色の色度Ｐｓに近づけるように補正している。
【００９３】
よって、色度補正装置１００は、検出した第１色度ｐ１、第２色度Ｐ２、および混色の色度Ｐｍを基に、各色度距離ｍ、ｎ、ｍａ、ｍｂ、ｎａ、ｎｂを算出し、更に、各色度距離を基に、駆動電流に対する電流補正値を算出することで、色度補正を行うことができる。つまり、従来技術のように、各光源２１、２２の光度ランクを予め所定ランクに選別しておく必要がない。また、従来技術のように、選別された各光源を用いた場合の色度補正データを事前に把握して、色度補正データ格納部に格納しておく必要もなく、よって、専用の格納部の設定も不要とすることができる。
【００９４】
また、電流補正値αａ、αｂを算出する際に、２つの光源２１、２２のうち、一方の光源の光度を変更することで、且つ、光度の高い方（色度距離の小さい方）の光度を下げることで、目標の色度が得られるようにしている。これにより、各光源２１、２２への駆動電流を色度補正のためにいたずらに増加させることがなく、耐久性等の悪化を伴うことがない。また、２つの光源２１、２２の一方の光度を変更することで、補正の手間を低減することが可能となる。
【００９５】
また、光源２１、２２と色度検出部１１０との間に、文字板照明部２３が介在されるような場合、文字板照明部２３が１つのカラーフィルタとなる。このような場合であっても、カラーフィルタの影響を含んだ形で各色度を検出しているので、この色度に基づく色度距離を用いた色度補正が可能となっている。よって、光源の直接的な色度を検出する場合に限らず、メータ装置１０のような製品の場合の色度補正が可能である。
【００９６】
（第２実施形態）
第２実施形態について、図２、図７〜図１２を用いて説明する。第２実施形態は、メータ装置１０の表示器２４を照明する３つの光源２０１、２０２、２０３による混色の色度を、色度補正装置１００によって補正する場合の制御要領を示したものである。光源２０１は、本発明の第１光源に対応し、光源２０２は、本発明の第２光源に対応し、光源２０３は、本発明の第３光源に対応する。尚、メータ装置１０、および色度補正装置１００の各構成は、上記第１実施形態で説明した内容と同一である。
【００９７】
色度補正装置１００が実施する制御内容について、図７〜図９のフローチャートに基づいて説明する。
【００９８】
まず、メータ装置１０と色度補正装置１００とが、インターフェイス１１および１４０間で接続されると、ステップＳ５００で、色度補正部１２０は、電源１５０からメータ装置１０に対して１３．５Ｖの電源供給を開始する。
【００９９】
そして、上記電源供給に伴い、色度補正部１２０は、システム制御回路１３に色度補正モード信号を送信するようにしている。ステップＳ５００で、所定時間内に色度補正モード信号が送信された場合であると、メータ装置１０は色度補正モードとなる。この場合、色度補正部１２０は、以下のステップＳ５４０に進む。しかしながら、ステップＳ５１０で、所定時間内に色度補正モード信号が送信されていない場合であれば、色度補正モードは解除状態とされて、ステップＳ５２０で、メータ装置１０は製品動作モードとなる。そして、ステップＳ５３０で、色度補正は終了となる。
【０１００】
次に、ステップＳ５４０で、色度補正部１２０は、メータ装置１０に対して、初期設定の駆動電流にて光源２０１を単体状態で点灯するように要求する。光源２０１における初期設定の駆動電流とは、光源２０１、２０２、２０３における光度比を予め定めた光度比にしたときに得られる混色の色度が、狙いとする目標色の色度Ｐｗ（Ｘｗ、Ｙｗ）となるように、光源２０１に対して設定された駆動電流である。目標色の色度Ｐｗは、図１０の色度図上において、ポイントＰｗとして表示されている。
【０１０１】
次に、ステップＳ５５０で、色度補正部１２０は、色度検出部１１０に対して、光源２０１の単体状態での点灯時の色度Ｐ１を計測させる。色度検出部１１０は、光源２０１の単体状態の色度Ｐ１を色度図上の座標（Ｘ１、Ｙ１）として計測して、計測したデータを色度補正部１２０に出力する。光源２０１の単体状態の色度Ｐ１は、本発明の第１色度に対応する。以下、光源２０１の単体状態の色度Ｐ１を、第１色度Ｐ１と呼ぶことにする。第１色度Ｐ１は、図１０の色度図上において、ポイントＰ１として表示される。
【０１０２】
次に、ステップＳ５６０で、色度補正部１２０は、メータ装置１０に対して、初期設定の駆動電流にて光源２０２を単体状態で点灯するように要求する。光源２０２における初期設定の駆動電流とは、上記の光源２０１の場合と同様に、光源２０１、２０２、２０３における光度比を予め定めた光度比にしたときに得られる混色の色度が、狙いとする目標色の色度Ｐｗ（Ｘｗ、Ｙｗ）となるように、光源２０２に対して設定された駆動電流である。
【０１０３】
次に、ステップＳ５７０で、色度補正部１２０は、色度検出部１１０に対して、光源２０２の単体状態での点灯時の色度Ｐ２を計測させる。色度検出部１１０は、光源２０２の単体状態の色度Ｐ２を色度図上の座標（Ｘ２、Ｙ２）として計測して、計測したデータを色度補正部１２０に出力する。光源２０２の単体状態の色度Ｐ２は、本発明の第２色度に対応する。以下、光源２０２の単体状態の色度Ｐ２を、第２色度Ｐ２と呼ぶことにする。第２色度Ｐ２は、図１０の色度図上において、ポイントＰ２として表示される。
【０１０４】
次に、ステップＳ５８０で、色度補正部１２０は、メータ装置１０に対して、初期設定の駆動電流にて光源２０３を単体状態で点灯するように要求する。光源２０３における初期設定の駆動電流とは、上記の光源２０１の場合と同様に、光源２０１、２０２、２０３における光度比を予め定めた光度比にしたときに得られる混色の色度が、狙いとする目標色の色度Ｐｗ（Ｘｗ、Ｙｗ）となるように、光源２０３に対して設定された駆動電流である。
【０１０５】
次に、ステップＳ５９０で、色度補正部１２０は、色度検出部１１０に対して、光源２０３の単体状態での点灯時の色度Ｐ３を計測させる。色度検出部１１０は、光源２０３の単体状態の色度Ｐ３を色度図上の座標（Ｘ３、Ｙ３）として計測して、計測したデータを色度補正部１２０に出力する。光源２０３の単体状態の色度Ｐ３は、本発明の第３色度に対応する。以下、光源２０３の単体状態の色度Ｐ３を、第３色度Ｐ３と呼ぶことにする。第３色度Ｐ３は、図１０の色度図上において、ポイントＰ３として表示される。
【０１０６】
次に、ステップＳ６００で、色度補正部１２０は、第１色度Ｐ１と第２色度Ｐ２とを結ぶ直線Ｌ１と、第３色度Ｐ３と目標色の色度Ｐｗとを結ぶ直線Ｌ２を算出し、更に、直線Ｌ１と直線Ｌ２とが交差する点を第１線上の目標色度Ｐｖとして算出する。第１線上の目標色度Ｐｖは、光源２０１と光源２０２とが初期設定の駆動電流で点灯される場合に、狙い値（設計値）として想定される混色の色度である。
【０１０７】
次に、ステップＳ６１０で、色度補正部１２０は、メータ装置１０に対して、光源２０３は消灯状態にして、初期設定の駆動電流にて光源２０１、２０２の２つを点灯するように要求する。
【０１０８】
次に、ステップＳ６２０で、色度補正部１２０は、色度検出部１１０に対して、光源２０１、２０２が点灯、光源２０３が消灯の状態での混色の色度Ｐｍ１を計測させる。色度検出部１１０は、混色の色度Ｐｍ１を色度図上の座標（Ｘｍ１、Ｙｍ１）として計測して、計測したデータを色度補正部１２０に出力する。混色の色度Ｐｍ１は、本発明の第１混色の色度に対応する。以下、光源２０１、２０２が点灯、光源２０３が消灯状態での混色の色度Ｐｍ１を、第１混色の色度Ｐｍ１と呼ぶことにする。第１混色の色度Ｐｍ１は、図１０の色度図上において、ポイントＰｍ１として表示される。
【０１０９】
次に、ステップＳ６３０で、色度補正部１２０は、第１混色の色度Ｐｍ１と第１線上の目標色度Ｐｖとの差ΔＰｍ１を求める。差ΔＰｍ１は、実際に得られた第１混色の色度Ｐｍ１が、第１線上の目標色度Ｐｖに近いものとして得られたか否かを判定するための判定量となる。差ΔＰｍ１は、各色度Ｐｍ１、Ｐｖの座標位置の差から得ることができる。差ΔＰｍ１は、（Ｘｍ１−Ｘｖ、Ｙｍ１−Ｙｖ）として算出することができる。
【０１１０】
次に、ステップＳ６４０で、色度補正部１２０は、差ΔＰｍ１の絶対値が、予め定めた所定規格値Ｒ３ａより小さいか否かを判定する。色度補正部１２０は、ステップＳ６４０で、差ΔＰｍ１が所定規格値Ｒ３ａ以下であると判定すると、第１混色の色度Ｐｍ１は、第１線上の目標色度Ｐｖに充分近いものとして判定する。よって、色度補正部１２０は、光源２０１、２０２に対する初期設定の駆動電流の補正を行うことなしに、ステップＳ６５０で、駆動電流に対する補正値α１ａを１と設定する。
【０１１１】
一方、ステップＳ６４０で、色度補正部１２０は、差ΔＰｍ１が所定規格値Ｒ３ａより大きいと判定すると、第１混色の色度Ｐｍ１は、第１線上の目標色度Ｐｖに近いものになっていないと判定し、ステップＳ６６０に進む。
【０１１２】
次に、ステップＳ６６０で、色度補正部１２０は、以下のステップＳ７７０で実施する補正回数カウントのために、まず、補正カウンタをクリアする。即ち、ここでは、補正回数カウントＮｃ１をゼロに設定する。
【０１１３】
そして、ステップＳ６７０で、色度補正部１２０は、第１混色の色度Ｐｍ１と第１線上の目標色度Ｐｖとの座標位置を比較する。即ち、ステップＳ６８０で、色度補正部１２０は、直線Ｌ１上において、第１混色の色度Ｐｍ１が第１色度Ｐ１と第１線上の目標色度Ｐｖとの間にあるか、あるいは、第１混色の色度Ｐｍ１が第１線上の目標色度Ｐｖと第２色度Ｐ２との間にあるかを判定する。第１混色の色度Ｐｍ１が第１色度Ｐ１と第１線上の目標色度Ｐｖとの間にある場合は、第１色度Ｐ１の光度が、第２色度Ｐ２の光度よりも高いことを意味する。逆に、第１混色の色度Ｐｍが第１線上の目標色度Ｐｖと第２色度Ｐ２との間にある場合は、第２色度Ｐ２の光度が、第１色度Ｐ１の光度よりも高いことを意味する。
【０１１４】
上記ステップＳ６８０にて、色度補正部１２０は、直線Ｌ１上において、第１混色の色度Ｐｍ１が第１色度Ｐ１と第１線上の目標色度Ｐｖとの間にあると判定すると、第１色度Ｐ１の光度が、第２色度Ｐ２の光度より高いことから、ステップＳ６９０に進む。ステップＳ６９０では、光源２０１と光源２０２のうち、光度の高い方の光源２０１の光度を下げるための電流補正値α１ａを算出する。電流補正値α１ａは、１より小さい値とするものである。電流補正値α１ａは、本発明の第１補正係数に対応する。
【０１１５】
具体的には、ステップＳ６９０では、図１１中のケース１に示すように、色度距離の比ｎ１ａ／ｍ１ａを色度距離の比ｎ１／ｍ１に近づけるようにする。尚、図１１において、各色度Ｐ１、Ｐ２、Ｐｍ１ａ（Ｐｍ１ｂ）、およびＰｖにかかる色度距離は、上記第１実施形態で説明した図６と同様に、それぞれ、色度距離ｍ１、ｎ１、ｍ１ａ、ｎ１ａ、ｍ１ｂ、ｎ１ｂと定義されている。また、図１１中において、第１混色の色度Ｐｍ１については、ケース１と後述するケース２とで区別するために、ケース１では第１混色の色度をＰｍ１ａと表示し、ケース２では第１混色の色度をＰｍ１ｂと表示している。
【０１１６】
色度距離ｍ１は本発明の第１目標色度距離に対応する。また、色度距離ｎ１は本発明の第２目標色度距離に対応する。また、色度距離ｍ１ａ（あるいはｍ１ｂ）は本発明の第１色度距離に対応する。また、色度距離ｎ１ａ（あるいはｎ１ｂ）は本発明の第２色度距離に対応する。
【０１１７】
第１線上の目標色度Ｐｖにおける光度比は、
（数８）
ＵＩｖ１：ＵＩｖ２＝ｎ１：ｍ１  であり、
第１混色の色度Ｐｍ１ａにおける光度比は、
（数９）
ＵＩｖ１ａ：ＵＩｖ２ａ＝ｎ１ａ：ｍ１ａ  となる。
【０１１８】
よって、第１混色の色度Ｐｍ１ａの光度比におけるＵＩｖ１ａに対して、α１ａ（＜１）倍の補正をして、上記数式８を実現するためには、
（数１０）
（α１ａ・ＵＩｖ１ａ）：ＵＩｖ２ａ＝ＵＩｖ１：ＵＩｖ２  とすることが必要となる。
【０１１９】
上記数式１０より、
（α１ａ・ＵＩｖ１ａ）・ＵＩｖ２＝ＵＩｖ１・ＵＩｖ２ａ  となり、
よって、
α１ａ＝（ＵＩｖ１／ＵＩｖ２）・（ＵＩｖ２ａ／ＵＩｖ１ａ）  となり、
これに、上記数式８、数式９を代入すると、
（数１１）
α１ａ＝（ｎ１／ｍ１）・（ｍ１ａ／ｎ１ａ）  となる。つまり、電流補正値α１ａは、色度距離ｍ１、ｎ１、ｍ１ａ、ｎ１ａによって算出可能となる。
【０１２０】
ステップＳ６９０の初回処理のときは、電流補正値α１ａ＝（ｎ１／ｍ１）・（ｍ１ａ／ｎ１ａ）として算出する。また、後述するステップＳ７８０の後の２回め以降の処理では、電流補正値α１ａ＝（先回のα１ａ）・（ｍ１ａ／ｎ１ａ）として算出する。
【０１２１】
そして、ステップＳ７００で、色度補正部１２０は、メータ装置１０のシステム制御回路１３に対して、光源２０１に対する駆動電流値をα１ａ倍とする電流設定変更の要求を指示する。
【０１２２】
一方、ステップＳ６８０にて、色度補正部１２０は、直線Ｌ１上において、第１混色の色度Ｐｍ１が第１線上の目標色度Ｐｖと第２色度Ｐ２との間にあると判定すると、第２色度Ｐ２の光度が、第１色度Ｐ１の光度より高いことから、ステップＳ７１０に進む。ステップＳ７１０では、光源２０１と光源２０２のうち、光度の高い方の光源２０２の光度を下げるための電流補正値α１ｂを算出する。電流補正値α１ｂは、１より小さい値とするものである。電流補正値α１ｂは、本発明の第１補正係数に対応する。
【０１２３】
具体的には、ステップＳ７１０では、図１１中のケース２に示すように、色度距離の比ｎ１ｂ／ｍ１ｂを色度距離の比ｎ１／ｍ１に近づけるようにする。
【０１２４】
第１線上の目標色度Ｐｖにおける光度比は、上記と同様に、
（数８）
ＵＩｖ１：ＵＩｖ２＝ｎ１：ｍ１  であり、
第１混色の色度Ｐｍ１ｂにおける光度比は、
（数１２）
ＵＩｖ１ｂ：ＵＩｖ２ｂ＝ｎ１ｂ：ｍ１ｂ  となる。
【０１２５】
よって、第１混色の色度Ｐｍ１ｂの光度比におけるＵＩｖ２ｂに対して、α１ｂ（＜１）倍の補正をして、上記数式８を実現するためには、
（数１３）
ＵＩｖ１ｂ：（α１ｂ・ＵＩｖ２ｂ）＝ＵＩｖ１：ＵＩｖ２  とすることが必要となる。
【０１２６】
上記数式１１より、
（α１ｂ・ＵＩｖ２ｂ）・ＵＩｖ１＝ＵＩｖ２・ＵＩｖ１ｂ  となり、
よって、
α１ｂ＝（ＵＩｖ２／ＵＩｖ１）・（ＵＩｖ１ｂ／ＵＩｖ２ｂ）  となり、
これに、上記数式８、数式１２を代入すると、
（数１４）
α１ｂ＝（ｍ１／ｎ１）・（ｎ１ｂ／ｍ１ｂ）  となる。つまり、電流補正値α１ｂは、色度距離ｍ１、ｎ１、ｍ１ｂ、ｎ１ｂによって算出可能となる。
【０１２７】
ステップＳ７１０の初回処理のときは、電流補正値α１ｂ＝（ｍ１／ｎ１）・（ｎ１ｂ／ｍ１ｂ）として算出する。また、後述するステップＳ７８０の後の２回め以降の処理では、電流補正値α１ｂ＝（先回のα１ｂ）・（ｎ１ｂ／ｍ１ｂ）として算出する。
【０１２８】
そして、ステップＳ７２０で、色度補正部１２０は、メータ装置１０のシステム制御回路１３に対して、光源２０２に対する駆動電流値をα１ｂ倍とする電流設定変更の要求を指示する。
【０１２９】
次に、ステップＳ７３０で、色度補正部１２０は、メータ装置１０に対して、補正した後の駆動電流にて光源２０１、２０２を同時に点灯するように要求する。
【０１３０】
次に、ステップＳ７４０で、色度補正部１２０は、色度検出部１１０に対して、光源２０１、２０２が点灯、光源２０３が消灯の状態での第１混色の色度Ｐｍ１を計測させる。色度検出部１１０は、第１混色の色度Ｐｍ１を色度図上の座標（Ｘｍ１、Ｙｍ１）として計測して、計測したデータを色度補正部１２０に出力する。
【０１３１】
次に、ステップＳ７５０で、色度補正部１２０は、第１混色の色度Ｐｍ１と第１線上の目標色度Ｐｖとの差ΔＰｍ１を再度求める。差ΔＰｍ１は、ステップＳ６３０と同様に、（Ｘｍ１−Ｘｖ、Ｙｍ１−Ｙｖ）として算出される。
【０１３２】
次に、ステップＳ７６０で、色度補正部１２０は、ステップＳ６４０と同様に、差ΔＰｍ１の絶対値が、予め定めた所定規格値Ｒ３ａより小さいか否かを判定する。色度補正部１２０は、差ΔＰｍ１が所定規格値Ｒ３ａより大きいと判定すると、第１混色の色度Ｐｍ１は、第１線上の目標色度Ｐｖに近いものになっていないと判定し、ステップＳ７７０に進む。
【０１３３】
ステップＳ７７０では、色度補正部１２０は、補正回数カウントＮｃ１をＮｃ１＋１とし、ステップＳ７８０で、補正回数カウントＮｃ１が３回より大きいか否かを判定する。補正回数カウントＮｃ１が３回以下であると、まだ、色度補正の余地があると判定して、色度補正部１２０は、ステップＳ６６０に戻り、ステップＳ６６０〜ステップＳ７７０を繰り返す。つまり、光源２０１、２０２に対する電流補正値の算出を行い、第１混色の色度Ｐｍ１の補正を繰り返す。
【０１３４】
しかしながら、ステップＳ７８０で、補正回数カウントＮｃ１が３回を超えると、これ以上、色度補正の余地が無いと判定して、色度補正部１２０は、ステップＳ７９０で、色度補正を行わずに、異常終了とする。このとき、色度補正部１２０は、モニタ１３０に、色度補正の異常終了を表示させると共に、色度補正モードを解除する。
【０１３５】
上記ステップＳ６４０〜ステップＳ７９０は、本発明の第１光源（光源２０１）と第２光源（光源２０２）とを点灯させたときの、補正係数（電流補正値α１ａ、α１ｂ）を算出するための第１ステップに対応する。
【０１３６】
一方、色度補正部１２０は、上記のステップＳ７６０で、差ΔＰｍ１が所定規格値Ｒ３ａ以下であると判定すると、第１混色の色度Ｐｍ１は、第１線上の目標色度Ｐｖに充分近いものとして判定し、ステップＳ８００に進む。
【０１３７】
ステップＳ８００では、色度補正部１２０は、メータ装置１０に対して、初期設定の駆動電流にて光源２０３を点灯させると共に、補正した後の駆動電流にて光源２０１、２０２を点灯するように要求する。
【０１３８】
次に、ステップＳ８１０で、色度補正部１２０は、以下のステップＳ８７０で実施する補正回数カウントのために、まず、補正カウンタをクリアする。即ち、ここでは、補正回数カウントＮｃ２をゼロに設定する。
【０１３９】
次に、ステップＳ８２０で、色度補正部１２０は、色度検出部１１０に対して、光源２０１、２０２、２０３の同時点灯時の混色の色度Ｐｍ２を計測させる。色度検出部１１０は、混色の色度Ｐｍ２を色度図上の座標（Ｘｍ２、Ｙｍ２）として計測して、計測したデータを色度補正部１２０に出力する。混色の色度Ｐｍ２は、本発明の第２混色の色度に対応する。以下、光源２０１、２０２、２０３の同時点灯時の混色の色度Ｐｍ２を、第２混色の色度Ｐｍ２と呼ぶことにする。第２混色の色度Ｐｍ２は、図１０の色度図上において、ポイントＰｍ２として表示される。
【０１４０】
次に、ステップＳ８３０で、色度補正部１２０は、第２混色の色度Ｐｍ２と目標色の色度Ｐｗとの差ΔＰｍ２を求める。差ΔＰｍ２は、（Ｘｍ２−Ｘｗ、Ｙｍ２−Ｙｗ）として算出される。
【０１４１】
次に、ステップＳ８４０で、色度補正部１２０は、差ΔＰｍ２の絶対値が、予め定めた所定規格値Ｒ３ｂより小さいか否かを判定する。色度補正部１２０は、差ΔＰｍ２が所定規格値Ｒ３ｂ以下であると判定すると、第２混色の色度Ｐｍ２は、目標色の色度Ｐｗに充分近いものとして判定し、ステップＳ８５０に進む。
【０１４２】
ステップＳ８５０では、色度補正部１２０は、システム制御回路１３に対して、光源２０１、２０２に対する電流補正値α１ａ、α１ｂを記憶保持部１６に書込みするように指示する。尚、ステップＳ６４０、およびステップＳ８４０で共に、初回で規格領域以内の判定がされた場合は、実質の補正が行われないため、電流補正値α１ａ、α１ｂは、それぞれ１となる。
【０１４３】
そして、ステップＳ８６０で、色度補正部１２０は、補正結果をモニタ１３０に表示する。
【０１４４】
一方、ステップＳ８４０で、色度補正部１２０は、差ΔＰｍ２が所定規格値Ｒ３ｂより大きいと判定すると、第２混色の色度Ｐｍ２は、目標色の色度Ｐｗに近いものになっていないと判定し、ステップＳ８７０に進む。
【０１４５】
ステップＳ８７０では、色度補正部１２０は、補正回数カウントＮｃ２をＮｃ２＋１とし、ステップＳ８８０で、補正回数カウントＮｃ２が３回より大きいか否かを判定する。補正回数カウントＮｃ２が３回を超えると、これ以上、色度補正の余地が無いと判定して、色度補正部１２０は、ステップＳ８９０で、色度補正を行わずに、異常終了とする。このとき、色度補正部１２０は、モニタ１３０に、色度補正の異常終了を表示させると共に、色度補正モードを解除する。
【０１４６】
上記ステップＳ８８０で、補正回数カウントＮｃ２が３回以下であると、色度補正の余地があると判定して、色度補正部１２０は、ステップＳ９００に進む。
【０１４７】
そして、ステップＳ９００で、色度補正部１２０は、第２混色の色度Ｐｍ２と目標色の色度Ｐｗとの座標位置を比較する。即ち、ステップＳ９１０で、色度補正部１２０は、直線Ｌ２上において、第２混色の色度Ｐｍ２が第３色度Ｐ３と目標色の色度Ｐｗとの間にあるか、あるいは、第２混色の色度Ｐｍ２が目標色の色度Ｐｗと第１線上の目標色度Ｐｖとの間にあるかを判定する。第２混色の色度Ｐｍ２が第３色度Ｐ３と目標色の色度Ｐｗとの間にある場合は、第３色度Ｐ３の光度が、第１線上の目標色度Ｐｖの光度よりも高いことを意味する。逆に、第２混色の色度Ｐｍ２が目標色の色度Ｐｗと第１線上の目標色度Ｐｖとの間にある場合は、第１線上の目標色度Ｐｖの光度が、第３色度Ｐ３の光度よりも高いことを意味する。
【０１４８】
上記ステップＳ９１０にて、色度補正部１２０は、直線Ｌ２上において、第２混色の色度Ｐｍ２が第３色度Ｐ３と目標色の色度Ｐｗとの間にあると判定すると、第３色度Ｐ３の光度が、第１線上の目標色度Ｐｖの光度より高いことから、ステップＳ９２０に進む。ステップＳ９２０では、光源２０３と、光源２０１および光源２０２とのうち、光度の高い方の光源２０３の光度を下げるための電流補正値α２ａを算出する。電流補正値α２ａは、１より小さい値とするものである。電流補正値α２ａは、本発明の第２補正係数に対応する。
【０１４９】
具体的には、ステップＳ９２０では、図１２中のケース３に示すように、色度距離の比ｎ２ａ／ｍ２ａを色度距離の比ｎ２／ｍ２に近づけるようにする。尚、図１２において、各色度Ｐ３、Ｐｖ、Ｐｍ２ａ（Ｐｍ２ｂ）、およびＰｗにかかる色度距離は、上記第１実施形態で説明した図６と同様に、それぞれ、色度距離ｍ２、ｎ２、ｍ２ａ、ｎ２ａ、ｍ２ｂ、ｎ２ｂと定義されている。また、図１２中において、第２混色の色度Ｐｍ２については、ケース３と後述するケース４とで区別するために、ケース３では第２混色の色度をＰｍ２ａと表示し、ケース４では第２混色の色度をＰｍ２ｂと表示している。
【０１５０】
色度距離ｍ２は本発明の第３目標色度距離に対応する。また、色度距離ｎ２は本発明の第４目標色度距離に対応する。また、色度距離ｍ２ａ（あるいはｍ２ｂ）は本発明の第３色度距離に対応する。また、色度距離ｎ２ａ（あるいはｎ２ｂ）は本発明の第４色度距離に対応する。
【０１５１】
目標色の色度Ｐｗにおける光度比は、
（数１５）
ＵＩｖ３：ＵＩｖｖ＝ｎ２：ｍ２  であり、
第２混色の色度Ｐｍ２ａにおける光度比は、
（数１６）
ＵＩｖ３ａ：ＵＩｖｖａ＝ｎ２ａ：ｍ２ａ  となる。
【０１５２】
よって、第２混色の色度Ｐｍ２ａの光度比におけるＵＩｖ３ａに対して、α２ａ（＜１）倍の補正をして、上記数式１５を実現するためには、
（数１７）
（α２ａ・ＵＩｖ３ａ）：ＵＩｖｖａ＝ＵＩｖ３：ＵＩｖｖ  とすることが必要となる。
【０１５３】
上記数式１７より、
（α２ａ・ＵＩｖ３ａ）・ＵＩｖｖ＝ＵＩｖ３・ＵＩｖｖａ  となり、
よって、
α２ａ＝（ＵＩｖ３／ＵＩｖｖ）・（ＵＩｖｖａ／ＵＩｖ３ａ）  となり、
これに、上記数式１５、数式１６を代入すると、
（数１８）
α２ａ＝（ｎ２／ｍ２）・（ｍ２ａ／ｎ２ａ）  となる。つまり、電流補正値α２ａは、色度距離ｍ２、ｎ２、ｍ２ａ、ｎ２ａによって算出可能となる。
【０１５４】
そして、ステップＳ９３０で、色度補正部１２０は、メータ装置１０のシステム制御回路１３に対して、光源２０３に対する駆動電流値をα２ａ倍とする電流設定変更の要求を指示する。
【０１５５】
一方、ステップＳ９１０にて、色度補正部１２０は、直線Ｌ２上において、第２混色の色度Ｐｍ２が目標色の色度Ｐｗと第１線上の目標色度Ｐｖとの間にあると判定すると、第１線上の目標色度Ｐｖの光度が、第３色度Ｐ３の光度より高いことから、ステップＳ９４０に進む。ステップＳ９４０では、光源２０１および光源２０２と、光源２０３のうち、光度の高い方の光源２０１および光源２０２の光度を下げるための電流補正値α２ｂを算出する。電流補正値α２ｂは、１より小さい値とするものである。電流補正値α２ｂは、本発明の第２補正係数に対応する。
【０１５６】
具体的には、ステップＳ９４０では、図１２中のケース４に示すように、色度距離の比ｎ２ｂ／ｍ２ｂを色度距離の比ｎ２／ｍ２に近づけるようにする。
【０１５７】
目標色の色度Ｐｗにおける光度比は、上記と同様に、
（数１５）
ＵＩｖ３：ＵＩｖｖ＝ｎ２：ｍ２  であり、
第２混色の色度Ｐｍ２ｂにおける光度比は、
（数１９）
ＵＩｖ３ｂ：ＵＩｖｖｂ＝ｎ２ｂ：ｍ２ｂ  となる。
【０１５８】
よって、第２混色の色度Ｐｍ２ｂの光度比におけるＵＩｖｖｂに対して、α２ｂ（＜１）倍の補正をして、上記数式１５を実現するためには、
（数２０）
ＵＩｖ３ｂ：（α２ｂ・ＵＩｖｖｂ）＝ＵＩｖ３：ＵＩｖｖ  とすることが必要となる。
【０１５９】
上記数式２０より、
（α２ｂ・ＵＩｖｖｂ）・ＵＩｖ３＝ＵＩｖｖ・ＵＩｖ３ｂ  となり、
よって、
α２ｂ＝（ＵＩｖｖ／ＵＩｖ３）・（ＵＩｖ３ｂ／ＵＩｖｖｂ）  となり、
これに、上記数式１５、数式１９を代入すると、
（数２１）
α２ｂ＝（ｍ２／ｎ２）・（ｎ２ｂ／ｍ２ｂ）  となる。つまり、電流補正値α２ｂは、色度距離ｍ２、ｎ２、ｍ２ｂ、ｎ２ｂによって算出可能となる。
【０１６０】
そして、ステップＳ９５０で、色度補正部１２０は、メータ装置１０のシステム制御回路１３に対して、第１線上の目標色度Ｐｖを得るための光源２０１および光源２０２に対する駆動電流値をα２ｂ倍とする電流設定変更の要求を指示する。
【０１６１】
次に、ステップＳ９６０で、色度補正部１２０は、メータ装置１０に対して、補正した後の駆動電流にて光源２０１、２０２、２０３を点灯するように要求し、ステップＳ８２０〜ステップＳ９６０を繰り返す。
【０１６２】
そして、色度補正部１２０は、ステップＳ８２０〜ステップＳ９６０を繰り返す中で、ステップＳ８４０で、差ΔＰｍ２の絶対値が、予め定めた所定規格値Ｒ３ｂより小さいと判定すれば、ステップＳ８５０、ステップＳ８６０を経て、色度補正モードを解除して、製品動作モードに切替え（ステップＳ５２０）、補正を終了する（ステップＳ５３０）。また、色度補正部１２０は、ステップＳ８２０〜ステップＳ９６０を繰り返す中で、ステップＳ８８０で、補正回数カウントが３回を超える場合は、ステップＳ８９０を経て、色度補正モードを解除して、製品動作モードに切替え（ステップＳ５２０）、補正を終了する（ステップＳ５３０）。
【０１６３】
以上のように、本第２実施形態においても、上記第１実施形態と同様の効果を得ることができる。即ち、本第２実施形態の色度補正装置１００では、３つの光源２０１、２０２、２０３の混色の色度Ｐｍ２を目標色の色度Ｐｗに近づけるように補正するにあたって、まず、色度検出部１１０によって、光源２０１単体の第１色度Ｐ１、光源２０２単体の第２色度Ｐ２、光源２０３単体の第３色度Ｐ３、および光源２０１、２０２による第１混色の色度Ｐｍ１を検出する。そして、第１色度Ｐ１、第２色度Ｐ２、第３色度Ｐ３、および目標色の色度Ｐｗから第１線上の目標色度Ｐｖを算出する。
【０１６４】
次に、ステップ１として、色度座標空間上における色度距離という概念を新たに定義して、第１混色の色度Ｐｍ１が第１線上の目標色度Ｐｖに近づくように、各色度Ｐ１、Ｐ２、Ｐｍ１、Ｐｖにかかる色度距離ｍ１、ｎ１、ｍ１ａ（ｍ１ｂ）、ｎ１ａ（ｎ１ｂ）を基に、光源２０１、２０２に供給する駆動電流の電流補正値α１ａ（数式１１）、あるいは電流補正値α１ｂ（数式１４）を算出する。
【０１６５】
そして、得られた電流補正値に基づいて駆動電流を変更して、第１混色の色度Ｐｍ１を第１線上の目標色度Ｐｖに近づけるように補正している。
【０１６６】
次に、ステップ２として、第２混色の色度Ｐｍ２が目標色の色度Ｐｗに近づくように、各色度Ｐ３、Ｐｖ、Ｐｍ２、Ｐｗにかかる色度距離ｍ２、ｎ２、ｍ２ａ（ｍ２ｂ）、ｎ２ａ（ｎ２ｂ）を基に、光源２０３、あるは光源２０１および２０２に供給する駆動電流の電流補正値α２ａ（数式１８）、あるいは電流補正値α２ｂ（数式２１）を算出する。
【０１６７】
そして、得られた電流補正値に基づいて駆動電流を変更して、第２混色の色度Ｐｍ２を目標色の色度Ｐｗに近づけるように補正している。
【０１６８】
よって、色度補正装置１００は、検出した第１色度ｐ１、第２色度Ｐ２、第３色度Ｐ３、第１混色の色度Ｐｍ１、および第２混色の色度Ｐｍ２を基に各色度距離ｍ１、ｎ１、ｍ２、ｎ２、ｍ１ａ、ｎ１ａ、ｍ１ｂ、ｎ１ｂ、ｍ２ａ、ｎ２ａ、ｍ２ｂ、ｎ２ｂを算出し、更に、各色度距離を基に駆動電流に対する電流補正値を算出することで、色度補正を行うことができる。つまり、従来技術のように、各光源２０１、２０２、２０３の光度ランクを予め所定ランクに選別しておく必要がない。また、従来技術のように、選別された各光源を用いた場合の色度補正データを事前に把握して、色度補正データ格納部に格納しておく必要もなく、よって、専用の格納部の設定も不要とすることができる。
【０１６９】
また、電流補正値α１ａ、α１ｂ、α２ａ、α２ｂを算出する際に、２つの光源（光源２０１と２０２、あるいは、光源２０１および２０２と光源２０３）のうち、一方の光源の光度を変更することで、且つ、光度の高い方（色度距離の小さい方）の光度を下げることで、目標の色度が得られるようにしている。これにより、各光源２０１、２０２、２０３への駆動電流を色度補正のためにいたずらに増加させることがなく、耐久性等の悪化を伴うことがない。また、２つの光源の一方の光度を変更することで、補正の手間を低減することが可能となる。
【０１７０】
また、光源２０１、２０２、２０３と色度検出部１１０との間に、表示器２４が介在されるような場合、表示器２４が１つのカラーフィルタとなる。このような場合であっても、カラーフィルタの影響を含んだ形で各色度を検出しているので、この色度に基づく色度距離を用いた色度補正が可能となっている。よって、光源の直接的な色度を検出する場合に限らず、メータ装置１０のような製品の場合の色度補正が可能である。
【０１７１】
（その他の実施形態）
上記各実施形態では、メータ装置１０における光源２１、２２、２０１、２０２、２０３による色度を補正するものとして説明したが、メータ装置１０に限定されることなく、複数色の光源を備えるものに対して広く対応することができる。
【０１７２】
また、各光源に対する電流補正値を算出するにあたって、色度距離の短い方（光度の高い方）に対応する光源の駆動電流を下げるような電流補正値とした。しかしながら、駆動電流の上限側規制範囲に余裕があれば、これに限らず、色度距離の長い方（光度の低い方）に対応する光源の駆動電流を上げるような電流補正値としても良い。
【符号の説明】
【０１７３】
２０  光源部
２１  光源（第１光源）
２２  光源（第２光源）
２０１  光源（第１光源）
２０２  光源（第２光源）
２０３  光源（第３光源）
１００  色度補正装置
１１０  色度検出部
１２０  色度補正部（制御部）
【図１】
2015114547.tif 000003
【図２】
2015114547.tif 000004
【図３】
2015114547.tif 000005
【図４】
2015114547.tif 000006
【図５】
2015114547.tif 000007
【図６】
2015114547.tif 000008
【図７】
2015114547.tif 000009
【図８】
2015114547.tif 000010
【図９】
2015114547.tif 000011
【図１０】
2015114547.tif 000012
【図１１】
2015114547.tif 000013
【図１２】
2015114547.tif 000014